(57)【要約】      （修正有）【課題】表示画面上の位置指定を伴う新規な操作入力が可能な情報処理装置を提供する。【解決手段】情報処理装置は、操作対象である回転ボタンに対する指示に応じて、スライド操作をするための操作領域として拡大された回転ボタンＢ１´を表示し、操作領域におけるスライド操作に応じて連続的に変化するパラメータを用いた情報処理を行なう。【選択図】図４Ｂ
2014067164.tif 000002
【特許請求の範囲】
【請求項１】
第１の表示オブジェクトに対する第１の指示に応じて、スライド操作による第２の指示を行うための操作領域を表示する操作領域表示手段と、
前記操作領域における前記第２の指示に応じて連続的に変化するパラメータを用いた情報処理を行なう情報処理手段と、
を備えたことを特徴とする情報処理装置。
【請求項２】
前記操作領域は、前記第１の表示オブジェクトを基準として少なくとも２つの方向に表示されることを特徴とする請求項１に記載の情報処理装置。
【請求項３】
前記２つの方向のうちの一方の方向への操作は前記パラメータの正方向の変化に対応しており、他方の方向への操作は前記パラメータの負方向の変化に対応していることを特徴とする請求項２に記載の情報処理装置。
【請求項４】
前記第２の指示の指示位置が前記第１の指示の指示位置になったとき、前記パラメータが前記第１の指示の指示位置の値になることを特徴とする請求項２に記載の情報処理装置。
【請求項５】
前記操作領域は、前記第１の表示オブジェクトから連続していることを特徴とする請求項１ないし４のいずれかに記載の情報処理装置。
【請求項６】
前記情報処理手段は、前記第１の指示から連続した前記第２の指示に応じた情報処理を行なうことを特徴とする請求項１ないし５のいずれかに記載の情報処理装置。
【請求項７】
前記情報処理手段は、前記スライド操作に応じてリアルタイムに情報処理を行なうことを特徴とする請求項１ないし６のいずれかに記載の情報処理装置。
【請求項８】
前記情報処理手段は、前記パラメータに従って第２の表示オブジェクトに対する情報処理を行なうことを特徴とする請求項１に記載の情報処理装置。
【請求項９】
前記第２の表示オブジェクトは、仮想空間内の表示オブジェクトであり、前記パラメータに従って変化することを特徴とする請求項１に記載の情報処理装置。
【請求項１０】
前記操作領域表示手段は、前記第２の指示が終了すると前記操作領域の表示を終了することを特徴とする請求項１ないし９のいずれかに記載の情報処理装置。
【請求項１１】
前記情報処理は、前記第１の表示オブジェクトとは異なる処理対象に対する情報処理であることを特徴とする請求項１ないし１０のいずれかに記載の情報処理装置。
【請求項１２】
前記パラメータは、前記スライド操作の変化特性に応じて連続的に変化することを特徴とする請求項１ないし１１のいずれかに記載の情報処理装置。
【請求項１３】
第１の表示オブジェクトに対する第１の指示に応じて、スライド操作による第２の指示を行うための操作領域を表示する操作領域表示手段と、
前記操作領域における前記第２の指示に応じて連続的に変化するパラメータを用いた情報処理を行なう情報処理手段と、
を備えたことを特徴とする情報処理システム。
【請求項１４】
第１の表示オブジェクトに対する第１の指示に応じて、スライド操作による第２の指示を行うための操作領域を表示する操作領域表示ステップと、
前記操作領域における前記第２の指示に応じて連続的に変化するパラメータを用いた情報処理を行なう情報処理ステップと、
を含むことを特徴とする情報処理方法。
【請求項１５】
コンピュータを、
第１の表示オブジェクトに対する第１の指示に応じて、スライド操作による第２の指示を行うための操作領域を表示する操作領域表示手段と、
前記操作領域における前記第２の指示に応じて連続的に変化するパラメータを用いた情報処理を行なう情報処理手段と、
として機能させることを特徴とする情報処理プログラム。
【発明の詳細な説明】
【技術分野】
【０００１】
本発明は、ユーザによる入力操作を受け付ける情報処理装置、情報処理システム、情報処理方法、及び情報処理プログラムに関する。
【背景技術】
【０００２】
特許文献１にはタッチパネルを備えた表示装置が開示されている。この表示装置では、操作対象であるアイコンをタッチするとそのアイコンのサイズが変わって、スライド操作によってアイコンをドラッグ可能であることをユーザに知らせることで、ユーザが確実にアイコンのドラッグ操作をできるよう支援している。
【先行技術文献】
【特許文献】
【０００３】
【特許文献１】特開２００４−７０４９２号公報
【発明の概要】
【発明が解決しようとする課題】
【０００４】
本発明は、操作入力が可能な新規な情報処理装置を提供することを目的とする。
【課題を解決するための手段】
【０００５】
本発明の情報処理装置は、第１の表示オブジェクトに対する第１の指示に応じて、スライド操作による第２の指示を行うための操作領域を表示する操作領域表示手段と、前記操作領域における前記第２の指示に応じて連続的に変化するパラメータを用いた情報処理を行なう情報処理手段とを備えている。
【０００６】
この構成により、スライド操作をするための操作領域が表示されるので、スライド操作の操作性が向上し、また、操作領域の表示が第１の指示に応じて行なわれるので、第１の指示がされていない状態では操作領域が表示されるべき部分に他の表示オブジェクト等を表示でき、表示スペースを有効に活用できる。
【０００７】
上記の情報処理装置において、前記第１の表示オブジェクトを基準として少なくとも２つの方向に表示されてよい。
【０００８】
この構成により、第１の指示の指示位置を基準として少なくとも２方向へのスライド操作を行なうことができる。
【０００９】
上記の情報処理装置において、前記２つの方向のうちの一方の方向への操作は前記パラメータの正方向の変化に対応しており、他方の方向への操作は前記パラメータの負方向の変化に対応していてよい。
【００１０】
この構成により、第１の指示の指示位置を基準としてパラメータを増減させることができる。
【００１１】
上記の情報処理装置において、前記第２の指示の指示位置が前記第１の指示の指示位置になったとき、前記パラメータが前記第１の指示の指示位置の値になってよい。
【００１２】
この構成により、スライド操作の指示位置をもとの位置に戻すことでパラメータをもとの値に戻すことができる。
【００１３】
上記の情報処理装置において、前記操作領域は、前記第１の表示オブジェクトから連続していてよい。
【００１４】
この構成により、ユーザは、操作対象に対する指示の後にスライド操作が可能となったことを直感的に理解できる。
【００１５】
上記の情報処理装置において、前記情報処理手段は、前記第１の指示から連続した前記第２の指示に応じた情報処理を行なってよい。
【００１６】
この構成により、ユーザは、操作対象に対する指示及びスライド操作を一連の操作として行なうことができる。
【００１７】
上記の情報処理装置において、前記情報処理手段は、前記スライド操作に応じてリアルタイムに情報処理を行なってよい。
【００１８】
この構成により、ユーザは、どこでスライド操作を終了すればよいかを容易に判断できる。
【００１９】
上記の情報処理装置において、前記情報処理手段は、前記パラメータに従って第２の表示オブジェクトに対する情報処理を行なってよい。
【００２０】
この構成により、スライド操作に基づいて処理対象に対する情報処理を行なうことができる。
【００２１】
上記の情報処理装置において、前記第２の表示オブジェクトは、仮想空間内の表示オブジェクトであってよく、前記パラメータに従って変化してよい。
【００２２】
この構成により、スライド操作に基づいて仮想空間内の表示オブジェクトに対する情報処理を行なうことができる。例えば、スライド操作のスライド量に応じて仮想空間内の表示オブジェクトを回転させる処理を行なうことができる。
【００２３】
上記の情報処理装置において、前記操作領域表示手段は、前記第２の指示が終了すると前記操作領域の表示を終了してよい。
【００２４】
この構成により、スライド操作が終了すると、操作領域の表示が終了するので、操作領域を表示していた部分に他の表示オブジェクト等を表示でき、表示スペースを有効に活用できる。
【００２５】
上記の情報処理装置において、前記情報処理は、前記第１の表示オブジェクトとは異なる処理対象に対する情報処理であってよい。
【００２６】
この構成により、スライド操作に基づいて処理対象に対する情報処理を行なうことができる。
【００２７】
上記の情報処理装置において、前記パラメータは、前記スライド操作の変化特性に応じて連続的に変化してよい。
【００２８】
この構成により、処理対象に対してスライド操作の変化特性に応じた処理を行なうことができる。ここで、例えばスライド操作のスライド量、加速度、速度、又はそれらの任意の組み合わせは、スライド操作の変化特性に該当する。
【００２９】
本発明の情報処理システムは、第１の表示オブジェクトに対する第１の指示に応じて、スライド操作による第２の指示を行うための操作領域を表示する操作領域表示手段と、前記操作領域における前記第２の指示に応じて連続的に変化するパラメータを用いた情報処理を行なう情報処理手段とを備えている。
【００３０】
この構成によっても、スライド操作をするための操作領域が表示されるので、スライド操作の操作性が向上し、また、操作領域の表示が第１の指示に応じて行なわれるので、第１の指示がされていない状態では操作領域が表示されるべき部分に他の表示オブジェクト等を表示でき、表示スペースを有効に活用できる。
【００３１】
本発明の情報処理方法は、第１の表示オブジェクトに対する第１の指示に応じて、スライド操作による第２の指示を行うための操作領域を表示する操作領域表示ステップと、前記操作領域における前記第２の指示に応じて連続的に変化するパラメータを用いた情報処理を行なう情報処理ステップとを含んでいる。
【００３２】
この構成によっても、スライド操作をするための操作領域が表示されるので、スライド操作の操作性が向上し、また、操作領域の表示が第１の指示に応じて行なわれるので、第１の指示がされていない状態では操作領域が表示されるべき部分に他の表示オブジェクト等を表示でき、表示スペースを有効に活用できる。
【００３３】
本発明の情報処理プログラムは、コンピュータを、第１の表示オブジェクトに対する第１の指示に応じて、スライド操作による第２の指示を行うための操作領域を表示する操作領域表示手段と、前記操作領域における前記第２の指示に応じて連続的に変化するパラメータを用いた情報処理を行なう情報処理手段して機能させる。
【００３４】
この構成によっても、スライド操作をするための操作領域が表示されるので、スライド操作の操作性が向上し、また、操作領域の表示が第１の指示に応じて行なわれるので、第１の指示がされていない状態では操作領域が表示されるべき部分に他の表示オブジェクト等を表示でき、表示スペースを有効に活用できる。
【発明の効果】
【００３５】
本発明によれば、スライド操作をするための操作領域が表示されるので、スライド操作の操作性が向上し、また、操作領域の表示が操作対象に対する指示に応じて行なわれるので、操作対象が指示されていない状態では操作領域が表示されるべき部分に他の表示オブジェクト等を表示でき、表示スペースを有効に活用できる。
【図面の簡単な説明】
【００３６】
【図１】本発明の実施の形態の情報処理装置の構成を示すブロック図
【図２】本発明の実施の形態の回転処理のフロー図
【図３】本発明の実施の形態のタッチパネル（回転ボタンが押されていない状態）の表示例を示す図
【図４Ａ】本発明の実施の形態のタッチパネル（回転ボタンが押された状態）の表示例を示す図
【図４Ｂ】本発明の実施の形態のタッチパネル（スライド操作中）の表示例を示す図
【図４Ｃ】本発明の実施の形態のタッチパネル（スライド操作中）の表示例を示す図
【図４Ｄ】本発明の実施の形態のタッチパネル（スライド操作中）の表示例を示す図
【発明を実施するための形態】
【００３７】
以下、図面を参照して本発明の実施の形態を説明する。図１は、本発明の実施の形態の情報処理装置の構成を示すブロック図である。本実施の形態において、情報処理装置１０は、携帯型ゲーム機であるが、本発明の情報処理装置は、スマートフォン、タブレット端末等であってよく、家庭用ゲーム機、パーソナルコンピュータ等の据置型の情報処理装置であってもよい。
【００３８】
情報処理装置１０は、表示パネル１１、タッチセンサ１２、表示制御部１３、入力受付部１４、及び情報処理部１５を備えている。タッチセンサ１２は、表示パネル１１の上に設けられており、表示パネル１１とタッチセンサ１２とでタッチパネル２０が構成されている。
【００３９】
表示制御部１３、入力受付部１４、及び情報処理部１５からなる構成は、演算処理部やメモリを備えたコンピュータが本発明の実施の形態の情報処理プログラムを実行することによって実現されてよい。このとき、情報処理プログラムが情報処理装置１０に記録されており、情報処理装置１０がそこから情報処理プログラムを読み出して実行してもよいし、情報処理プログラムが情報処理装置１０に対して着脱自在な記憶媒体に記憶されており、情報処理装置１０がそこに装着された記憶媒体から情報処理プログラムを読み出して実行してもよい。
【００４０】
表示パネル１１は、表示制御部１３から出力された表示情報を表示する。表示パネル１１は、液晶表示パネル等の表示情報を表示可能な任意のパネルであってよい。タッチセンサ１２は、上述のように表示パネル１１の上に設けられている。タッチセンサ１２は、所定のサンプリングレート（例えば、３０サンプル／秒）でサンプリングを行なって、物体の接触（タッチ）を検知したときにその接触位置を示す信号を出力する。タッチセンサ１２が物体の接触を検知する方式は、静電容量方式、抵抗膜方式等の任意の方式であってよい。タッチセンサ１２へのタッチは、指のタッチであってもよいし、スタイラスによるタッチであってもよい。
【００４１】
表示制御部１３は、情報処理部１５における情報処理に応じて表示パネル１１の表示を制御する。入力受付部１４は、タッチセンサ１２から接触位置を示す信号を受けて、入力操作の内容を認識する。情報処理部１５は、入力受付部１４から入力操作の情報を受けて所定の情報処理を行い、表示制御部１３に情報処理の結果を出力する。本実施の形態では、一例として、情報処理部１５は、仮想空間内の表示オブジェクトを回転させる処理を行なう。
【００４２】
図２は、本実施の形態の情報処理装置１０における表示オブジェクトの回転処理のフロー図である。また、図３及び図４Ａ〜Ｄは、タッチパネル２０の表示例を示す図である。以下、図３及び図４Ａ〜Ｄを参照して、情報処理装置１０における表示オブジェクトの回転処理を説明する。
【００４３】
図３は、表示オブジェクトの回転処理が指示されていないときのタッチパネル２０の表示例を示している。タッチパネル２０の画面には、仮想空間内の表示オブジェクトＣ（第２の表示オブジェクト）が表示されるオブジェクト表示エリアＡと、オブジェクト表示エリアＡの下に配置されたボタン群Ｂ１〜Ｂ５が表示されている。オブジェクト表示エリアＡには、回転処理の対象としての表示オブジェクトＣが表示されている。ボタン群Ｂ１〜Ｂ５は、横向きに並んでおり、そのうちの中央のボタンＢ１（第１の表示オブジェクト）は、表示オブジェクトＣを仮想空間内で回転させるための回転ボタンである。回転ボタンＢ１は、表示オブジェクトＣの回転操作をするための操作対象である。回転ボタンＢ１の両側の他のボタンＢ２〜Ｂ５は、メニューボタン、拡大表示ボタン等の任意のボタンであってよい。
【００４４】
回転処理を開始すると、まず、情報処理部１５は、回転ボタンＢ１への指示があったか否か、即ち入力受付部１４から回転ボタンＢ１に接触があったとの情報が入力されたか否かを判断する（ステップＳ２１）。本実施の形態では、回転ボタンＢ１への指示は、即ち回転ボタンＢ１のタッチ（例えば、継続タッチ）である。回転ボタンＢ１への指示は、例えば回転ボタンＢ１の長タッチ（所定の時間（例えば１秒）以上継続するタッチ）、ダブルタッチ（所定の時間（例えば０．５秒）以下の間隔で２回行なわれるタッチ）であってもよい。
【００４５】
回転ボタンＢ１へのタッチがない場合には（ステップＳ２１にてＮＯ）、タッチがあるまで、タッチの有無を判断する（ステップＳ２１）。回転ボタンＢ１へのタッチがあった場合（ステップＳ２１にてＹＥＳ）、即ちタッチセンサ１２が回転ボタンＢ１の表示位置において物体の接触を感知し、入力受付部１４が回転ボタンＢ１へのタッチがあったことを示す情報を情報処理部１５に通知したときには、情報処理部１５は、表示制御部１３に回転ボタンＢ１を拡大する処理をするよう指示し、表示制御部１３は、拡大された回転ボタンＢ１´の表示情報を表示パネル１１に出力し、表示パネル１１は拡大された回転ボタンＢ１´を表示する（ステップＳ２２）。
【００４６】
図４Ａは、回転ボタンＢ１がタッチされて拡大された回転ボタンＢ１´が表示されたときの表示例を示す図である。図４Ａに示すように、回転ボタンＢ１は、他のボタンＢ２〜Ｂ５が表示されていた領域に拡張して、その結果、他のボタンＢ２〜Ｂ５が拡大された回転ボタンＢ１´の拡張部分によって隠される。回転ボタンＢ１は、タッチされることで、左右の両方向に拡張する。拡大された回転ボタンＢ１´の右側部分には右方向への回転を示す右向きの矢印があり、左側部分には左方向への回転を示す左向きの矢印が示されている。この拡大された回転ボタンＢ１´は、表示オブジェクトＣを回転させるためのスライド操作を受け付ける操作領域となる。
【００４７】
拡大された回転ボタンＢ１´が表示されると、情報処理部１５は、拡大された回転ボタンへＢ１´への指示が解除されたか否かを判断する（ステップＳ２３）。具体的には、情報処理部１５は、入力受付部１４が拡大された回転ボタンＢ１´へのタッチを検知しなくなり、入力受付部１４から拡大された回転ボタンＢ１´へのタッチがあることを示す情報が入力されなくなったときに、回転ボタンへの指示が解除されたと判断する（ステップＳ２３にてＹＥＳ）。また、情報処理部１５は、入力受付部１４が拡大された回転ボタンＢ１´へのタッチを検知し、入力受付部１４から拡大された回転ボタンＢ１´へのタッチがあることを示す情報が入力されるときには、回転ボタンへの指示は解除されていないと判断する（ステップＳ２３にてＮＯ）。
【００４８】
回転ボタンへの指示が解除されていない場合には（ステップＳ２３にてＮＯ）、情報処理部１５は、接触位置に応じた回転処理を行なう（ステップＳ２４）。図４Ｂ〜図４Ｄは、拡大された回転ボタンＢ１´に対するスライド操作とそれに対応した表示オブジェクトの回転を示している。ユーザが、回転ボタンＢ１に対する指示として回転ボタンＢ１の表示位置へのタッチを行い（第１の指示）、そのままタッチを解除することなく連続して、左右方向に拡大された回転ボタンＢ１´の上をスライド操作すると（第２の指示）、そのスライドの方向及び量に応じて表示オブジェクトＣが回転する。すなわち、情報処理部１５における回転処理の回転角度のパラメータは、スライド操作の方向及び量に応じて連続的に変化する。
【００４９】
図４Ｂに示すように、接触位置Ｐが拡大された回転ボタンＢ１´の中央よりやや右側にスライドされると、表示オブジェクトＣは仮想空間内で若干右方向（表示オブジェクトから見ると左方向）に回転する。図４Ｃや図４Ｄのように、接触位置Ｐがより右側にスライドすると、表示オブジェクトＣは仮想空間内でさらに右方向に回転し、接触位置Ｐが拡大された回転ボタンＢ１´の右端にくると、表示オブジェクトはほぼ真後ろを向く。また、接触位置Ｐが拡大される前のもとの回転ボタンＢ１の位置に戻ると、表示オブジェクトは回転ボタンＢ１に対する操作を行なう前の角度に戻る。
【００５０】
このとき、情報処理部１５は、入力受付部１４から拡大された回転ボタンＢ１´のどの位置がタッチされているかを示す情報を受け取って、拡大された回転ボタンＢ１´の中央から接触位置までの距離に応じた角度で表示オブジェクトＣの回転処理を行い、処理結果を表示制御部１３に出力する。即ち、情報処理部１５は、スライド操作の後に拡大された回転ボタンＢ１´への接触が解除されて、スライド操作が終了した後に始めて表示オブジェクトＣの回転処理を行なうのではなく、スライド操作の最中にそのときの接触位置に対応する角度でリアルタイムの回転処理を行なう。
【００５１】
ユーザが拡大された回転ボタンＢ１´の任意の位置で拡大された回転ボタンＢ１´への指示（接触）を解除することで、そのときの接触位置に応じた角度で表示オブジェクトＣの回転角度が固定される。これにより、ユーザが拡大された回転ボタンＢ１´上でタッチ位置を左右にスライドさせると、それに対応して表示オブジェクトＣが回転し、ユーザは自己の好みの角度で拡大された回転ボタンＢ１´への指示を解除することで、表示オブジェクトＣの向きを確定できる。
【００５２】
回転ボタンへの指示が解除された場合には（ステップＳ２３にてＹＥＳ）、表示オブジェクトＣはその角度で停止して、拡大された回転ボタンＢ１´は、もとの大きさ回転ボタンＢ１に戻り（ステップＳ２５）、ステップＳ２１に戻って回転ボタンＢ１への次の指示を待つ。
【００５３】
以上のように、一例として示した本実施の形態の情報処理装置１０は、操作対象としての回転ボタンＢ１に対する指示（タッチ）（第１の指示）に応じて、スライド操作をするための拡大された回転ボタンＢ１´を表示し、拡大された回転ボタンＢ１´上におけるスライド操作（第２の指示）に応じて、処理対象としての表示オブジェクトＣの回転処理を行なう。このように、拡大された回転ボタンＢ１´が、スライド操作のための操作領域となるので、ユーザは、スライド操作が有効である領域を容易に認識でき、操作性が向上する。また、回転ボタンＢ１をタッチすることで、回転ボタンＢ１が拡大されるので、回転ボタンＢ１が指示されて拡大される前には、回転ボタンＢ１の周辺に別のボタンＢ２〜Ｂ５を表示でき、表示スペースを有効に活用できる。
【００５４】
なお、上記の実施の形態では、操作対象である回転ボタンＢ１を拡大することで、その拡大されたボタンをスライド操作可能な操作領域として示したが、本発明はこれに限られない。例えば、操作対象が指示されることで、もとの大きさの操作対象自体がスライダとなるとともに、そのスライダをスライド可能なレールを操作領域として表示してもよい。この場合にも、レールが表示されるので、スライド操作の操作性が向上するとともに、操作対象が指示されるまではレールは表示されないので、表示スペースを有効に活用できる。
【００５５】
また、上記の実施の形態では、操作領域が、操作対象である回転ボタンＢ１の左右方向に展開したが、本発明はこれに限られない。操作領域は、操作対象の上下方向に展開されてもよい。また、操作対象を通る円又は円弧が操作領域として展開されてもよい。スライド操作のための操作領域を操作対象から少なくとも２方向に展開すると、スライド操作の変化特性に応じたパラメータを用いて情報処理が行なわれる場合に、その一方向への操作を、パラメータを正方向に変化させる操作とし、他の方向への操作を、パラメータを負方向に変化させる操作とすることができる。さらに、操作領域は、操作対象から３以上の方向に展開してもよく、二次元状に展開してもよい。
【００５６】
また、上記の実施の形態では、スライド操作の最中に情報処理として表示オブジェクトの回転処理をリアルタイムに行なうとともに、スライド操作が終了して操作対象である回転ボタンＢ１への指示が解除されると、そのときのスライド操作に応じて表示オブジェクトの回転角度を固定したが、本発明はこれに限れない。例えば、情報処理部１５は、スライド操作に応じたリアルタイムの回転処理を行なうとともに、スライド操作が終了したときに、表示オブジェクトの回転角度をもとの角度に戻してもよい。さらに、情報処理部１５は、スライド操作が終了するまでは表示オブジェクトの回転処理を行なわずに、スライド操作が終了したときに、そのときのスライド位置に応じて表示オブジェクトの表示角度を変更してもよい。
【００５７】
また、上記の実施の形態では、操作対象である回転ボタンＢ１に指示（タッチ）をすると、回転ボタンから連続する操作領域が出現して、ユーザは、回転ボタンＢ１に対する指示を解除しないまま操作領域でのスライド操作をすることができたが、本発明はこれに限られない。例えば、スライド操作のための操作領域は必ずしも操作対象と連続していなくてもよく、また、操作対象に対してスライド操作のための操作領域を展開する指示をすると操作対象とは離れた位置に操作領域が展開してもよい。この場合には、スライド操作が終了した場合に操作領域を閉じるための指示に応じて操作領域を閉じるようにしてよい。
【００５８】
また、上記の実施の形態では、スライド操作に基づく情報処理が、操作対象である回転ボタンとは異なる処理対象に対する処理であったが、本発明はこれに限れない。例えば、上記の実施の形態のように仮想空間内の表示オブジェクトを回転させる処理を行なう場合に、表示オブジェクト自体をタッチ（指示）することで、そこからスライド操作のための操作領域が展開し、当該操作領域でのスライド操作に応じて表示オブジェクトを回転するようにしてよい。
【００５９】
また、上記の実施の形態では、情報処理部１５は、スライド操作のスライド量に応じて処理を行なったが、本発明はこれに限られず、スライド操作の変化特性に応じて情報処理を行なうものであればよい。スライド操作の変化特性は、スライド操作のスライド量のほか、スライド操作の加速度、速度を含む。
【００６０】
また、情報処理部１５は、操作対象への指示が解除される直前のスライド操作の速度をスライド操作の変化特性として、その変化特性に応じた情報処理を行なってよい。これにより、フリック操作に基づく情報処理が可能となる。例えば、上記の実施の形態において、スライド操作に応じてリアルタイムに表示オブジェクトを回転させるとともに、入力受付部１４がフリック操作を検知した場合には、そのフリック操作の強さ（操作対象への指示が解除される直前のスライド操作の速度の大きさ）に応じた回転角度で表示オブジェクトを回転させてよい。
【００６１】
また、上記の実施の形態では、情報処理部１５は、スライド操作に応じた情報処理として仮想空間内の表示オブジェクトを回転したが、スライド操作に応じた情報処理はこれに限られず、スライド操作の変化特性に応じて連続的に変化するパラメータを用いた処理であればよい。例えば、スライド操作に応じた情報処理は、画像補正の際の補正パラメータを変更する処理であってよい。また、スライド操作に応じた情報処理は、表示オブジェクトに対する処理に限らず、例えば、情報処理装置の音量を調整する処理であってもよい。
【００６２】
また、上記の実施の形態では、タッチパネル２０を用いて、タッチパネルに対するタッチやスライドを入力操作としたが、本発明はこれに限られない。例えば、表示パネルにポインタを表示するとともにマウス、パッド、十字キー、スティック等のポインティングデバイスを用いて、操作対象の指定と位置指定を行なうことができる情報処理装置にも本発明を適用できる。
【００６３】
また、上記の実施の形態では、表示パネル１１、タッチセンサ１２、表示制御部１３、入力受付部１４、及び情報処理部１５が一体となって情報処理装置１０に備えられていたが、これらの一部の要素と他の要素とが分散的に配置され、互いにネットワークを介して接続されていてもよい。例えば、タッチパネル２０、表示制御部１３、及び入力受付部１４が一体となった端末と、情報処理部１５を備えたサーバからなる情報処理システムが構成されてもよい。
【符号の説明】
【００６４】
１０  情報処理装置
１１  表示パネル
１２  タッチセンサ
１３  表示制御部
１４  入力受付部
１５  情報処理部
２０  タッチパネル
Ａ  オブジェクト表示エリア
Ｂ１  回転ボタン
Ｃ  表示オブジェクト
【図１】
2014067164.tif 000003
【図２】
2014067164.tif 000004
【図３】
2014067164.tif 000005
【図４Ａ】
2014067164.tif 000006
【図４Ｂ】
2014067164.tif 000007
【図４Ｃ】
2014067164.tif 000008
【図４Ｄ】
2014067164.tif 000009